(57)【要約】【課題】構造の簡素化及び長寿命化を図ること。【解決手段】樹脂部材６は、折り曲げの基点となる被折曲部６１１が設けられた硬質体６１を備える。被折曲部６１１を基点として硬質体６１を折り曲げた際の角部６１８となる位置には、当該角部６１８を保護する軟質体６３が設けられている。【選択図】図４Ａ
2019019624.tif 000002
【特許請求の範囲】
【請求項１】
折り曲げの基点となる被折曲部が設けられた硬質体を備え、
前記被折曲部を基点として前記硬質体を折り曲げた際の角部となる位置には、
当該角部を保護する軟質体が設けられている
ことを特徴とする樹脂部材。
【請求項２】
前記硬質体には、
当該硬質体を折り曲げた際に互いに係止して当該折り曲げた状態を維持する係止構造が設けられている
ことを特徴とする請求項１に記載の樹脂部材。
【請求項３】
前記軟質体は、
前記角部の外側となる位置に設けられている
ことを特徴とする請求項１または２に記載の樹脂部材。
【請求項４】
前記被折曲部は、
前記硬質体に設けられた溝部である
ことを特徴とする請求項１〜３のいずれか一つに記載の樹脂部材。
【請求項５】
前記溝部は、
断面Ｖ字形状を有し、
前記軟質体は、
断面Ｖ字形状の前記溝部の谷部分を跨ぐように設けられている
ことを特徴とする請求項４に記載の樹脂部材。
【請求項６】
前記被折曲部は、
前記硬質体に設けられた入隅部である
ことを特徴とする請求項１〜３のいずれか一つに記載の樹脂部材。
【請求項７】
前記軟質体は、
前記入隅部の谷部分を跨ぐように設けられている
ことを特徴とする請求項６に記載の樹脂部材。
【請求項８】
網材と、当該網材の端縁に取り付けられる樹脂部材と、当該樹脂部材を介して当該網材を保持する網戸框とを備えた網戸であって、
前記樹脂部材は、
請求項１〜７のいずれか一つに記載の樹脂部材であり、折り曲げられて前記網材の端縁に取り付けられる
ことを特徴とする網戸。
【請求項９】
前記網戸框には、
前記樹脂部材を保持する保持溝が設けられ、
前記硬質体の外面には、
前記保持溝の側壁に当接する軟質のヒレ部が設けられ、
前記軟質体は、
前記ヒレ部の一部である
ことを特徴とする請求項８に記載の網戸。
【発明の詳細な説明】
【技術分野】
【０００１】
本発明は、樹脂部材及び網戸に関する。
【背景技術】
【０００２】
従来、網戸において、網材の端縁を保持する構造として、一端側で互いに回動可能に接続された２つの部材（防虫網貼り付け部及び防虫網押え部材）を備え、当該２つの部材にて網材の端縁を挟持する蝶番状の構造が提案されている（例えば、特許文献１参照）。
【先行技術文献】
【特許文献】
【０００３】
【特許文献１】特開２００６−１６９８４３号公報
【発明の概要】
【発明が解決しようとする課題】
【０００４】
しかしながら、特許文献１に記載の構造では、２つの部材を用いて蝶番状の構造を実現する必要があり、構造が複雑化する、という問題がある。
一方、構造を簡素化するために、例えば、単一部材である樹脂部材を折り曲げ自在に構成し、当該樹脂部材を折り曲げることで網材の端縁を挟持する構造も考えられる。しかしながら、当該構造を採用した場合には、網材の交換に応じて、樹脂部材を何度も折り曲げると、当該折り曲げた際の角部が破断し、当該樹脂部材の長寿命化を図ることができない、という問題がある。
【０００５】
本発明は、上記実情に鑑みて、構造の簡素化及び長寿命化を図ることができる樹脂部材及び網戸を提供することを目的とする。
【課題を解決するための手段】
【０００６】
上記目的を達成するため、本発明に係る樹脂部材は、折り曲げの基点となる被折曲部が設けられた硬質体を備え、前記被折曲部を基点として前記硬質体を折り曲げた際の角部となる位置には、当該角部を保護する軟質体が設けられていることを特徴とする。
【０００７】
本発明は、被折曲部を基点として単一部材である樹脂部材（硬質体）を折り曲げる構造であり、例えば、当該樹脂部材を用いて網材の端縁を挟持することができる。このため、従来の蝶番状の構造と比較して、構造の簡素化を図ることができる。
また、被折曲部を基点として硬質体を折り曲げた際の角部となる位置には、上述した軟質体が設けられている。すなわち、当該角部を軟質体で保護しているため、硬質体を何度も折り曲げた場合であっても、当該角部の破断を回避することができ、当該樹脂部材の長寿命化を図ることができる。
【０００８】
また、本発明は、上述した樹脂部材において、前記硬質体には、当該硬質体を折り曲げた際に互いに係止して当該折り曲げた状態を維持する係止構造が設けられていることを特徴とする。
本発明では、硬質体には上述した係止構造が設けられているため、硬質体の折り曲げた状態を維持する部材を別途、設ける必要がない。したがって、構造の簡素化をさらに図ることができる。
【０００９】
また、本発明は、上述した樹脂部材において、前記軟質体は、前記角部の外側となる位置に設けられていることを特徴とする。
本発明では、硬質体を折り曲げた際の角部の外側となる位置に軟質体を設けることにより、当該硬質体を何度も折り曲げた場合に当該角部に白化が生じた場合であっても、当該白化した箇所を軟質体にて隠蔽することができる。このため、外観品質を良好に維持することができる。
【００１０】
また、本発明は、上述した樹脂部材において、前記被折曲部は、前記硬質体に設けられた溝部であることを特徴とする。
本発明では、被折曲部を上述した溝部で構成しているため、当該被折曲部を簡素な構造としつつ、当該被折曲部を基点として樹脂部材を容易に折り曲げることができる。
【００１１】
また、本発明は、上述した樹脂部材において、前記溝部は、断面Ｖ字形状を有し、前記軟質体は、断面Ｖ字形状の前記溝部の谷部分を跨ぐように設けられていることを特徴とする。
本発明では、軟質体を上述した箇所に設けることにより、硬質体を何度も折り曲げた場合に破断が生じ易い断面Ｖ字状の溝部の谷部分を効果的に保護することができる。
【００１２】
また、本発明は、上述した樹脂部材において、前記被折曲部は、前記硬質体に設けられた入隅部であることを特徴とする。
本発明では、被折曲部を上述した入隅部で構成しているため、当該被折曲部を簡素な構造としつつ、当該被折曲部を基点として樹脂部材を容易に折り曲げることができる。
【００１３】
また、本発明は、上述した樹脂部材において、前記軟質体は、前記入隅部の谷部分を跨ぐように設けられていることを特徴とする。
本発明では、軟質体を上述した箇所に設けることにより、硬質体を何度も折り曲げた場合に破断が生じ易い入隅部の谷部分を効果的に保護することができる。
【００１４】
また、本発明に係る網戸は、網材と、当該網材の端縁に取り付けられる樹脂部材と、当該樹脂部材を介して当該網材を保持する網戸框とを備えた網戸であって、前記樹脂部材は、上述した樹脂部材であり、折り曲げられて前記網材の端縁に取り付けられることを特徴とする。
本発明に係る網戸によれば、上述した樹脂部材を備えているため、上述した樹脂部材と同様の作用及び効果を享受することができる。
【００１５】
また、本発明では、上述した網戸において、前記網戸框には、前記樹脂部材を保持する保持溝が設けられ、前記硬質体の外面には、前記保持溝の側壁に当接する軟質のヒレ部が設けられ、前記軟質体は、前記ヒレ部の一部であることを特徴とする。
本発明では、ヒレ部は、樹脂部材が保持溝の外部に脱落することを抑制する機能の他、硬質体を折り曲げた際の角部を保護する機能（軟質体）を有する。このため、ヒレ部と軟質体とを別々に設けた構成と比較して、構造の簡素化を図ることができる。
【発明の効果】
【００１６】
本発明に係る樹脂部材及び網戸によれば、構造の簡素化及び長寿命化を図ることができる、という効果を奏する。
【図面の簡単な説明】
【００１７】
【図１】本実施の形態に係る建具を室外側から見た図である。
【図２】建具の縦断面図である。
【図３】建具の横断面図である。
【図４Ａ】樹脂アタッチメントを示す図である。
【図４Ｂ】樹脂アタッチメントを示す図である。
【図５Ａ】本実施の形態の変形例１を示す図である。
【図５Ｂ】本実施の形態の変形例１を示す図である。
【図６Ａ】本実施の形態の変形例２を示す図である。
【図６Ｂ】本実施の形態の変形例２を示す図である。
【図７Ａ】本実施の形態の変形例３を示す図である。
【図７Ｂ】本実施の形態の変形例３を示す図である。
【図８Ａ】本実施の形態の変形例４を示す図である。
【図８Ｂ】本実施の形態の変形例４を示す図である。
【図９Ａ】本実施の形態の変形例５を示す図である。
【図９Ｂ】本実施の形態の変形例５を示す図である。
【図１０Ａ】本実施の形態の変形例６を示す図である。
【図１０Ｂ】本実施の形態の変形例６を示す図である。
【図１１Ａ】本実施の形態の変形例７を示す図である。
【図１１Ｂ】本実施の形態の変形例７を示す図である。
【図１２Ａ】本実施の形態の変形例８を示す図である。
【図１２Ｂ】本実施の形態の変形例８を示す図である。
【発明を実施するための形態】
【００１８】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１９】
〔建具の概略構成〕
図１は、本実施の形態に係る建具１を室外側から見た図である。図２は、建具１の縦断面図である。図３は、建具１の横断面図である。
なお、以下で記載する「見込み方向」は、建具１の奥行きに沿った方向（図２，図３の矢印Ａｒの方向）である。見込み方向に沿った平面については、見込み面と称し、見込み方向に直交する平面については、見付け面と称する場合がある。
建具１は、内動片引き窓で構成され、窓枠２と、可動障子３と、固定面材４と、網戸５とを備える。
【００２０】
窓枠２は、上枠２１、下枠２２、図１中、左側に位置する左縦枠２３、及び図１中、右側に位置する右縦枠２４を四周枠組みすることによって構成され、建物の開口部の縁部に沿うように取り付けられる。また、窓枠２は、上枠２１及び下枠２２間の室外側に位置し、当該上枠２１及び下枠２２に架け渡された中骨２５を備える。そして、上枠２１、下枠２２、左縦枠２３、及び右縦枠２４で構成される開口Ｏｐは、中骨２５により、第１，第２開口Ｏｐ１，Ｏｐ２の２つの開口に区画される。
これら各枠部材２１〜２５は、塩化ビニル樹脂（ＰＶＣ）等の樹脂製、またはアルミニウム等の金属製の押出形材であり、全長に亘って略一様な断面形状を有する。
【００２１】
可動障子３は、開口Ｏｐ内において、固定面材４、網戸５、及び中骨２５に対して室内側に位置し、図１及び図３中、左右方向にスライド移動可能に取り付けられている。この可動障子３は、ガラス材等の面材３１と、框部材３２とを備える。
框部材３２は、上框３３と、下框３４と、戸先框３５と、召合せ框３６とを框組みすることにより構成され、内部で面材３１の外周縁部を保持する。
これら各框部材３３〜３６は、塩化ビニル樹脂（ＰＶＣ）等の樹脂製、またはアルミニウム等の金属製の押出形材であり、全長に亘って略一様な断面形状を有する。
そして、可動障子３において、戸先框３５が左縦枠２３に当接した場合には、召合せ框３６と中骨２５とが互いに係合する。そして、第１開口Ｏｐ１は、可動障子３にて閉塞される。この状態では、召合せ框３６と中骨２５との間は、クレセント錠ＣＲ（図３）によってロック可能である。当該クレセント錠ＣＲによりロックすることにより、可動障子３は、第１開口Ｏｐ１を閉塞した状態に保持される。
【００２２】
固定面材４は、ガラス材等で構成され、上枠２１、下枠２２、右縦枠２４、及び中骨２５に対して固定されている。そして、固定面材４は、第２開口Ｏｐ２を閉塞する。
網戸５は、上枠２１、下枠２２、左縦枠２３、及び中骨２５に対して固定され、第１開口Ｏｐ１を遮蔽する。この網戸５は、網材５１と、網戸框５２とを備える。
網戸框５２は、上框５３と、下框５４と、一対の縦框５５，５６を框組みすることにより構成され、内部で網材５１を保持する。また、網戸框５２は、上枠２１、下枠２２、左縦枠２３、及び中骨２５に対して、ネジ等の締結具Ｓｃ１により固定される。
これら各框部材５３〜５６は、塩化ビニル樹脂（ＰＶＣ）等の樹脂製、またはアルミニウム等の金属製の押出形材であり、全長に亘って略一様な断面形状を有する。また、各框部材５３〜５６は、断面Ｕ字形状を有し、当該Ｕ字状の開口部分が内側を向く姿勢で框組みされる。なお、各框部材５３〜５６における断面Ｕ字状の溝部分は、本発明に係る保持溝５３１，５４１，５５１，５６１にそれぞれ相当する。
本実施の形態１では、網戸框５２は、平面視矩形状の網材５１における図３中、左右両端縁にそれぞれ取り付けられた２つの樹脂アタッチメント６を介して、当該網材５１を保持する。なお、２つの樹脂アタッチメント６は、同一の構造を有している。このため、以下では、１つの樹脂アタッチメント６の構造について説明する。
【００２３】
〔樹脂アタッチメントの構造〕
図４Ａ及び図４Ｂは、樹脂アタッチメント６を示す図である。なお、図４Ａは、樹脂アタッチメント６を折り曲げる前の状態を示している。図４Ｂは、樹脂アタッチメント６を折り曲げた後の状態を示している。
樹脂アタッチメント６は、折り曲げられることで網材５１における図３中、左端縁または右端縁に取り付けられる。そして、樹脂アタッチメント６は、縦框５５の保持溝５５１または縦框５６の保持溝５６１に挿通された状態で、縦框５５または縦框５６に固定される。また、当該固定を補助するために、見込み方向からネジ等の締結具Ｓｃ２（図３）が締結されている。この樹脂アタッチメント６は、本発明に係る樹脂部材に相当する。
【００２４】
樹脂アタッチメント６は、硬質体６１と、６つのヒレ部６２とを備える。
硬質体６１は、硬質ＰＶＣで構成されている。この硬質体６１は、縦框５５，５６の長手方向に延在し、全長に亘って略一様な断面形状（断面略Ｌ字状）を有する（図４Ａ）。ここで、硬質体６１は、縦框５５，５６の全長と略同一の全長を有する。
なお、以下で記載する「内側」は、硬質体６１におけるＬ字状の内側を意味する。また、以下で記載する「外側」は、硬質体６１におけるＬ字状の外側を意味する。
硬質体６１の内側の面には、折り曲げの基点となる断面Ｖ字状の溝部６１１が設けられている。当該溝部６１１は、本発明に係る被折曲部に相当する。本実施の形態では、硬質体６１は、溝部６１１を基点として、当該溝部６１１が形成されている側（内側）に折り曲げられる（図４Ｂ）。また、硬質体６１における溝部６１１を挟む両側には、当該硬質体６１を折り曲げた際に互いに係止する係止構造６１２が設けられている。
【００２５】
係止構造６１２は、係止突起６１３と、一対の係止受け部６１４とを備える。
係止突起６１３は、硬質体６１におけるＬ字状の一端側の部位６１５に設けられ、当該部位６１５の内側の面から当該硬質体６１におけるＬ字状の他端側の部位６１６と同一方向に突出する先太形状を有する。
一対の係止受け部６１４は、他端側の部位６１６にそれぞれ設けられ、当該部位６１６の内側の面から一端側の部位６１５と同一方向にそれぞれ突出する。また、一対の係止受け部６１４の先端には、他方に向けて突出する係止爪６１７がそれぞれ設けられている。
そして、係止突起６１３は、溝部６１１を基点として硬質体６１が略９０°折り曲げられた際に、先端が一対の係止受け部６１４間に挿通され、一対の係止爪６１７に係止される（図４Ｂ）。これにより、一端側の部位６１５及び他端側の部位６１６が互いに対向した状態（硬質体６１が折り曲げられた状態）が維持される。また、網材５１の端縁側の部位は、係止突起６１３の先端とともに一対の係止受け部６１４間に入り込み、一端側の部位６１５及び他端側の部位６１６間に挟まれる。これにより、樹脂アタッチメント６は、網材５１の端縁に取り付けられる。
【００２６】
６つのヒレ部６２は、硬質体６１（硬質ＰＶＣ）よりも低硬度の軟質ＰＶＣでそれぞれ構成されている。これら６つのヒレ部６２は、硬質体６１の長手方向に沿って延在し、全長に亘ってそれぞれ略一様な断面形状を有する。ここで、６つのヒレ部６２は、硬質体６１の全長と略同一の全長を有する。より具体的に、６つのヒレ部６２のうち３つのヒレ部６２１は、一端側の部位６１５の外側の面から当該部位６１５の先端に向けてヒレ状にそれぞれ突出する。また、他の３つのヒレ部６２２は、他端側の部位６１６の外側の面から当該部位６１６の先端に向けてヒレ状にそれぞれ突出する。そして、６つのヒレ部６２は、樹脂アタッチメント６が折り曲げられて縦框５５の保持溝５５１または縦框５６の保持溝５６１に挿通された際に、その先端が保持溝５５１または保持溝５６１の側壁にそれぞれ当接する。また、当該挿通された状態では、６つのヒレ部６２は、硬質体６１の外側の面から矩形枠状の網戸框５２の内周側に向けてそれぞれ突出している。すなわち、６つのヒレ部６２は、樹脂アタッチメント６が保持溝５５１または保持溝５６１の外部に脱落することを抑制する機能を有する。
【００２７】
一端側の部位６１５に設けられた３つのヒレ部６２１のうち、他端側の部位６１６に近接するヒレ部６２１ａの基端部分は、当該部位６１６側に延長し、断面Ｖ字状の溝部６１１における谷部分を当該溝部６１１の幅方向に跨ぐように設けられている。そして、当該基端部分は、溝部６１１を基点として硬質体６１を折り曲げた際の角部６１８を保護する本発明に係る軟質体６３としての機能を有する。
すなわち、本実施の形態１では、軟質体６３は、角部６１８の外側となる位置に設けられている。また、軟質体６３は、溝部６１１に対向する位置に設けられている。
【００２８】
以上説明した樹脂アタッチメント６は、例えば、異材質（硬質ＰＶＣ、軟質ＰＶＣ）成形により、硬質体６１及び６つのヒレ部６２が形成されている。なお、当該異材質成形において、硬質ＰＶＣ及び軟質ＰＶＣを同時に金型内に流し込んで硬質体６１及び６つのヒレ部６２を同時に成形してもよく、あるいは、硬質体６１を先に成形して６つのヒレ部６２を後に成形するように段階的に成形しても構わない。
【００２９】
（その他の実施の形態）
ここまで、本発明を実施するための形態を説明してきたが、本発明は上述した実施の形態によってのみ限定されるべきものではない。
図５Ａ及び図５Ｂは、本実施の形態の変形例１を示す図である。なお、図５Ａは、アングル部６Ａを折り曲げる前の状態を示している。図５Ｂは、アングル部６Ａを折り曲げた後の状態を示している。
上述した実施の形態では、本発明に係る樹脂部材として、網戸５に用いられる樹脂アタッチメント６を例示したが、これに限らない。例えば、本発明に係る樹脂部材として、図５Ａ及び図５Ｂに示した本変形例１のように、樹脂製の窓枠２Ａに用いられるアングル部６Ａを採用しても構わない。
【００３０】
具体的に、アングル部６Ａは、枠本体２６から室内側に延在し、ネジ等の締結具Ｓｃ３により、建物の躯体Ｂに固定される。このアングル部６Ａは、硬質体６１Ａと、軟質体６３Ａとを備える。
硬質体６１Ａは、硬質ＰＶＣで構成されている。この硬質体６１Ａは、建物の開口部の縁部分に沿って延在し、全長に亘って略一様な断面形状（断面略Ｌ字形状）を有する。
なお、以下で記載する「内側」は、硬質体６１ＡにおけるＬ字状の内側を意味する。また、以下で記載する「外側」は、硬質体６１ＡにおけるＬ字状の外側を意味する。
硬質体６１Ａにおいて、Ｌ字状の角部６１８Ａの外側には、折り曲げの基点となる断面Ｖ字状の溝部６１１Ａが設けられている。当該溝部６１１Ａは、本発明に係る被折曲部に相当する。本変形例１では、上述した実施の形態１とは逆に、硬質体６１Ａは、溝部６１１Ａを基点として、当該溝部６１１Ａが形成されていない側（内側）に折り曲げられる（図５Ｂ）。
また、硬質体６１ＡにおけるＬ字状の一端側の部位６１５Ａの先端には、係止突起６１３Ａが設けられている。そして、係止突起６１３Ａは、溝部６１１Ａを基点として硬質体６１Ａが略９０°折り曲げられた際に、枠本体２６に設けられた係止受け部２６１に係止する（図５Ｂ）。これにより、一端側の部位６１５Ａと硬質体６１ＡにおけるＬ字状の他端側の部位６１６Ａとが平行となる状態（硬質体６１Ａが折り曲げられた状態）が維持される。また、他端側の部位６１６Ａを介して躯体Ｂに固定された締結具Ｓｃ３は、一端側の部位６１５Ａにて隠蔽される。
【００３１】
軟質体６３Ａは、硬質体６１Ａ（硬質ＰＶＣ）よりも低硬度の軟質ＰＶＣで構成されている。そして、軟質体６３Ａは、断面Ｖ字状の溝部６１１Ａ内において、当該溝部６１１Ａにおける谷部分を当該溝部６１１Ａの幅方向に跨ぐように、当該溝部６１１Ａの全長に亘って設けられている。
【００３２】
図６Ａ及び図６Ｂは、本実施の形態の変形例２を示す図である。なお、図６Ａは、樹脂アタッチメント６を折り曲げる前の状態を示している。図６Ｂは、樹脂アタッチメント６を折り曲げた後の状態を示している。なお、図６Ａ及び図６Ｂでは、説明の便宜上、ヒレ部６２等の図示を省略している。以降の図も同様である。
上述した実施の形態では、軟質体６３は、溝部６１１に対向する位置に設けられていたが、これに限らず、図６Ａ及び図６Ｂに示した本変形例２のように、溝部６１１内に設けても構わない。このように構成した場合であっても、軟質体６３は、断面Ｖ字状の溝部６１１における谷部分を当該溝部６１１の幅方向に跨ぐように設けられている。
【００３３】
図７Ａ及び図７Ｂは、本実施の形態の変形例３を示す図である。なお、図７Ａは、樹脂アタッチメント６を折り曲げる前の状態を示している。図７Ｂは、樹脂アタッチメント６を折り曲げた後の状態を示している。
上述した実施の形態では、溝部６１１が角部６１８の内側に位置するように、当該溝部６１１を基点として硬質体６１を折り曲げる構造を採用していたが、これに限らない。例えば、図７Ａ及び図７Ｂに示した本変形例３のように、溝部６１１が角部６１８の外側に位置するように、当該溝部６１１を基点として硬質体６１を折り曲げる構造を採用しても構わない。
【００３４】
図８Ａ及び図８Ｂは、本実施の形態の変形例４を示す図である。なお、図８Ａは、樹脂アタッチメント６を折り曲げる前の状態を示している。図８Ｂは、樹脂アタッチメント６を折り曲げた後の状態を示している。
上述した変形例３において、図８Ａ及び図８Ｂに示した本変形例４のように、溝部６１１内に軟質体６３を設けても構わない。このように構成した場合であっても、軟質体６３は、断面Ｖ字状の溝部６１１における谷部分を当該溝部６１１の幅方向に跨ぐように設けられている。
【００３５】
図９Ａ及び図９Ｂは、本実施の形態の変形例５を示す図である。なお、図９Ａは、樹脂アタッチメント６Ｂを折り曲げる前の状態を示している。図９Ｂは、樹脂アタッチメント６Ｂを折り曲げた後の状態を示している。
上述した実施の形態では、本発明に係る被折曲部として、溝部６１１を例示したが、これに限らない。例えば、本発明に係る被折曲部として、図９Ａ及び図９Ｂに示した本変形例５のように、入隅部６１１Ｂを採用しても構わない。
具体的に、本変形例５に係る硬質体６１Ｂは、上述した実施の形態で説明した硬質体６１とは形状のみが異なる。この硬質体６１Ｂは、肉厚の小さい薄肉部６４１と肉厚の大きい厚肉部６４２とが直線的に接続された構造を有する。すなわち、硬質体６１Ｂには、薄肉部６４１と厚肉部６４２との段差部分により、入隅部６１１Ｂが設けられている。この際、軟質体６３は、入隅部６１１Ｂ内において、当該入隅部６１１Ｂにおける谷部分を跨ぐように設けられている。
そして、硬質体６１Ｂは、入隅部６１１Ｂを基点として、当該入隅部６１１Ｂとは反対側に略９０°折り曲げられる（図９Ｂ）。すなわち、軟質体６３は、硬質体６１Ｂを折り曲げた際の角部６１８Ｂの外側となる位置に設けられている。
【００３６】
図１０Ａ及び図１０Ｂは、本実施の形態の変形例６を示す図である。なお、図１０Ａは、樹脂アタッチメント６Ｂを折り曲げる前の状態を示している。図１０Ｂは、樹脂アタッチメント６Ｂを折り曲げた後の状態を示している。
上述した変形例５では、軟質体６３は、入隅部６１１Ｂ内に設けられていたが、これに限らず、図１０Ａ及び図１０Ｂに示した本変形例６のように、硬質体６１Ｂにおいて、入隅部６１１Ｂとは反対側の面に設けても構わない。このように構成した場合であっても、軟質体６３は、入隅部６１１Ｂにおける谷部分を跨ぐように設けられている。
【００３７】
図１１Ａ及び図１１Ｂは、本実施の形態の変形例７を示す図である。なお、図１１Ａは、樹脂アタッチメント６Ｃを折り曲げる前の状態を示している。図１１Ｂは、樹脂アタッチメント６Ｃを折り曲げた後の状態を示している。
上述した変形例５，６では、薄肉部６４１と厚肉部６４２との段差により入隅部６１１Ｂを構成していたが、これに限らず、例えば、図１１Ａ及び図１１Ｂに示した本変形例７のように、本発明に係る被折曲部としての入隅部６１１Ｃを構成しても構わない。
具体的に、本変形例７に係る硬質体６１Ｃは、上述した変形例５，６とは形状のみが異なる。この硬質体６１Ｃは、２つの部位６４３，６４４が互いに交差（例えば、直交）するように接続された構造を有する。すなわち、硬質体６１Ｃには、当該２つの部位６４３，６４４により、入隅部６１１Ｃが設けられている。この際、軟質体６３は、入隅部６１１Ｃとは反対側の面に設けられているとともに、当該入隅部６１１Ｃにおける谷部分を跨ぐように設けられている。
そして、硬質体６１Ｃは、入隅部６１１Ｃを基点として、当該入隅部６１１Ｃ側に略９０°折り曲げられる（図１１Ｂ）。すなわち、軟質体６３は、硬質体６１Ｃを折り曲げた際の角部６１８Ｃの外側となる位置に設けられている。
【００３８】
図１２Ａ及び図１２Ｂは、本実施の形態の変形例８を示す図である。なお、図１２Ａは、樹脂アタッチメント６Ｃを折り曲げる前の状態を示している。図１２Ｂは、樹脂アタッチメント６Ｃを折り曲げた後の状態を示している。
上述した変形例７では、軟質体６３は、硬質体６１Ｃにおいて、入隅部６１１Ｃとは反対側の面に設けられていたが、これに限らず、図１２Ａ及び図１２Ｂに示した本変形例８のように、入隅部６１１Ｃ内に設けても構わない。このように構成した場合であっても、軟質体６３は、入隅部６１１Ｃにおける谷部分を跨ぐように設けられている。
【００３９】
上述した実施の形態及び変形例１〜８では、硬質体６１（６１Ａ〜６１Ｃ）を硬質ＰＶＣで構成し、軟質体６３（６３Ａ）を軟質ＰＶＣで構成していたが、硬質体６１（６１Ａ〜６１Ｃ）及び軟質体６３（６３Ａ）の材料は、これに限らない。軟質体６３（６３Ａ）としては、硬質体６１（６１Ａ〜６１Ｃ）よりも低硬度であれば、例えば、ゴム等の弾性を有する材料で構成しても構わない。
上述した実施の形態では、網戸５は、窓枠２に対して固定されていたが、これに限らず、窓枠２に対してスライド移動可能に取り付けられた構成としても構わない。
【符号の説明】
【００４０】
５  網戸、６，６Ｂ，６Ｃ  樹脂アタッチメント（樹脂部材）、６Ａ  アングル部（樹脂部材）、５１  網材、５２  網戸框、６１，６１Ａ  硬質体、６２，６２１，６２１ａ，６２２  ヒレ部、６３，６３Ａ  軟質体、５３１，５４１，５５１，５６１  保持溝、６１１，６１１Ａ  溝部（被折曲部）、６１１Ｂ，６１１Ｃ  入隅部（被折曲部）、６１２  係止構造、６１８，６１８Ａ〜６１８Ｃ  角部
【図１】
2019019624.tif 000003
【図２】
2019019624.tif 000004
【図３】
2019019624.tif 000005
【図４Ａ】
2019019624.tif 000006
【図４Ｂ】
2019019624.tif 000007
【図５Ａ】
2019019624.tif 000008
【図５Ｂ】
2019019624.tif 000009
【図６Ａ】
2019019624.tif 000010
【図６Ｂ】
2019019624.tif 000011
【図７Ａ】
2019019624.tif 000012
【図７Ｂ】
2019019624.tif 000013
【図８Ａ】
2019019624.tif 000014
【図８Ｂ】
2019019624.tif 000015
【図９Ａ】
2019019624.tif 000016
【図９Ｂ】
2019019624.tif 000017
【図１０Ａ】
2019019624.tif 000018
【図１０Ｂ】
2019019624.tif 000019
【図１１Ａ】
2019019624.tif 000020
【図１１Ｂ】
2019019624.tif 000021
【図１２Ａ】
2019019624.tif 000022
【図１２Ｂ】
2019019624.tif 000023